(57)【要約】 【課題】  利便性を向上できる画像処理装置、画像処理方法及びプログラムを提供すること。【解決手段】  ページ記述言語で記述されるドキュメントデータを受信する受信部２６と、前記ドキュメントデータに基づいてラスタデータを生成し、前記ドキュメントデータに係る警告送信先情報を取得するラスタライズ処理部２２と、前記ラスタライズ処理手段が前記ラスタデータを生成する際に生ずる警告情報を、前記取得される警告送信先情報が示す警告送信先に送信する送信部３２と、を含むことを特徴とする画像処理装置。【選択図】      図４
2005316908.tif 000002
【特許請求の範囲】
【請求項１】
ページ記述言語で記述されるドキュメントデータを受信する受信手段と、
前記ドキュメントデータに基づいてラスタデータを生成するラスタライズ処理手段と、
前記ドキュメントデータに係る警告送信先情報を取得する警告送信先情報取得手段と、
前記ラスタライズ処理手段が前記ラスタデータを生成する際に生ずる警告情報を、前記取得される警告送信先情報が示す警告送信先に送信する送信手段と、
を含むことを特徴とする画像処理装置。
【請求項２】
請求項１に記載の画像処理装置において、
前記警告送信先情報取得手段は、前記ドキュメントデータのドキュメント要素に対応する前記警告送信先情報を取得し、
前記送信手段は、前記警告情報の発生する前記ドキュメント要素に対応して取得される前記警告送信先情報が示す警告送信先に、該警告情報を送信する、
ことを特徴とする画像処理装置。
【請求項３】
請求項１又は２のいずれか１項に記載の画像処理装置において、
前記送信手段は、前記警告情報とともに、前記ラスタライズ処理により生成される前記ラスタデータの少なくとも一部を送信する、
ことを特徴とする画像処理装置。
【請求項４】
ページ記述言語で記述されるドキュメントデータを受信する受信ステップと、
前記ドキュメントデータに基づいてラスタデータを生成するラスタライズ処理ステップと、
前記ドキュメントデータに係る警告送信先情報を取得する警告送信先情報取得ステップと、
前記ラスタライズ処理ステップにおいて前記ラスタデータが生成される際に生ずる警告情報を、前記取得される警告送信先情報が示す警告送信先に送信する送信ステップと、
を含むことを特徴とする画像処理方法。
【請求項５】
ページ記述言語で記述されるドキュメントデータを受信する受信手段、
前記ドキュメントデータに基づいてラスタデータを生成するラスタライズ処理手段、
前記ドキュメントデータに係る警告送信先情報を取得する警告送信先情報取得手段、及び
前記ラスタライズ処理手段が前記ラスタデータを生成する際に生ずる警告情報を、前記取得される警告送信先情報が示す警告送信先に送信する送信手段、
としてコンピュータを機能させることを特徴とするプログラム。
【発明の詳細な説明】
【技術分野】
【０００１】
本発明は、画像処理装置、画像処理方法及びプログラムに関する。
【背景技術】
【０００２】
近年のＤＴＰ（Desk Top Publishing）システムにおいては、例えば雑誌等の原稿を作成するデザイナーやライター等の原稿作成者は、ＰＤＦ（Portable Document Format）ファイル等のドキュメントデータ用フォーマットを使用してドキュメントデータ素材を作成することが多くなっている。このように原稿作成にドキュメントデータを使用する場合、ＷＹＳＩＷＹＧ機能（What you see is what you get機能）を有するコンピュータ等を使用することにより、ある程度実際の印刷イメージに近い状態の画面イメージを確認しながら作成することが可能である。
【０００３】
しかし、実際の印刷は刷版を用いて行われるため、実際の印刷に使用する印刷機を使用して印刷してみなければ、厳密な意味での印刷結果は分からない。また、各原稿作成者は雑誌等であるドキュメントデータの一部を作成しているに過ぎない場合がほとんどであるので、他のドキュメントデータ素材と組み合わせた場合の印刷結果は知り得ない。このため編集者は、画像処理装置と、付随するプリンタを使用して、ドキュメントデータの試し印刷を行う。そして、該試し印刷の際にドキュメントデータに基づいてラスタデータを生成するラスタライズ処理で発生する警告情報や、該試し印刷の結果を確認して行う校正の結果を原稿作成者にフィードバックすることにより、印刷結果と原稿作成者が有する印刷イメージとを合致させる。
【０００４】
なお、特許文献１及び特許文献２には、上記ラスタライズ処理での各種警告に関する発明が開示されている。
【特許文献１】特開２００３−５３４３号公報
【特許文献２】特開２００３−８８７０号公報
【発明の開示】
【発明が解決しようとする課題】
【０００５】
ここで、ドキュメントデータは上記画像処理装置において処理されるページ記述言語で記述されている場合がある。ページ記述言語で記述されるドキュメントデータの印刷処理では、ドキュメントデータの処理依頼元が上記画像処理装置に該ドキュメントデータを渡して処理を依頼する。そして、該画像処理装置において該ドキュメントデータの処理を行うことを特徴としている。すなわち、ドキュメントデータの処理依頼元における処理と画像処理装置における処理が独立していることを特徴としている。このため、ラスタライズ処理での警告情報は処理依頼元には通知されず、該画像処理装置に備えられるモニタに表示されたり、プリンタにより印刷されたりする。そして該警告情報を編集者が確認して、警告の出ているドキュメント要素であるドキュメントデータ素材の原稿作成者にフィードバックしていた。このため、利便性が低かった。
【０００６】
本発明は上記課題に鑑みてなされたものであって、その目的は、利便性を向上できる画像処理装置、画像処理方法及びプログラムを提供することにある。
【課題を解決するための手段】
【０００７】
上記課題を解決するための本発明に係る画像処理装置は、ドキュメントデータを受信する受信手段と、前記ドキュメントデータに基づいてラスタデータを生成するラスタライズ処理手段と、前記ドキュメントデータに係る警告送信先情報を取得する警告送信先情報取得手段と、前記ラスタライズ処理手段が前記ラスタデータを生成する際に生ずる警告情報を、前記取得される警告送信先情報が示す警告送信先に送信する送信手段と、を含むことを特徴とする。
【０００８】
このようにすることにより、ラスタライズ処理での警告情報を予め設定される送信先に通知することができるので、利便性が向上できる。
【０００９】
また、上記画像処理装置において、前記警告送信先情報取得手段は、前記ドキュメントデータのドキュメント要素に対応する前記警告送信先情報を取得し、前記送信手段は、前記警告情報の発生するドキュメント要素に対応して取得される前記警告送信先情報が示す警告送信先に、該警告情報を送信する、こととしてもよい。このようにすれば、警告の発生したドキュメントデータ内のドキュメント要素に対応する警告送信先に、該警告情報を送信することができる。
【００１０】
また、上記画像処理装置において、前記送信手段は、前記警告情報とともに、前記ラスタライズ処理により生成される前記ラスタデータの少なくとも一部を送信する、こととしてもよい。こうすれば、より視覚的に分かりやすく警告情報を送信することができる。
【００１１】
また、本発明に係る画像処理方法は、ページ記述言語で記述されたドキュメントデータを受信する受信ステップと、前記ドキュメントデータに基づいてラスタデータを生成するラスタライズ処理ステップと、前記ドキュメントデータに係る警告送信先情報を取得する警告送信先情報取得ステップと、前記ラスタライズ処理ステップにおいて前記ラスタデータが生成される際に生ずる警告情報を、前記取得される警告送信先情報が示す警告送信先に送信する送信ステップと、を含むことを特徴とする。
【００１２】
また、本発明に係るプログラムは、ページ記述言語で記述されたドキュメントデータを受信する受信手段、前記ドキュメントデータに基づいてラスタデータを生成するラスタライズ処理手段、前記ドキュメントデータに係る警告送信先情報を取得する警告送信先情報取得手段、及び前記ラスタライズ処理手段が前記ラスタデータを生成する際に生ずる警告情報を、前記取得される警告送信先情報が示す警告送信先に送信する送信手段、としてコンピュータを機能させることを特徴とする。
【発明を実施するための最良の形態】
【００１３】
本発明の実施の形態について、図面を参照しながら説明する。
【００１４】
本実施の形態に係る画像処理装置を含む校正システム１は、図１に示すように、原稿作成者端末２、編集者端末３、画像処理装置４、プリンタ５を含んで構成されている。
【００１５】
原稿作成者端末２では、ドキュメントデータの少なくとも一部となるドキュメントデータ素材がデザイナーやライター等の原稿作成者により作成される。作成には通常コンピュータで用いられる従来公知のＤＴＰシステム用のソフトウェアが使用されることが多い。そして、該ドキュメントデータ素材は、ドキュメント要素としてＰＤＦファイル等のページ記述言語で記述されるドキュメントデータ素材ファイルに格納される。作成された該ドキュメントデータ素材ファイルは編集者端末３に送信される。なお、送信されるに際しては、電子メールを使用して送信されることもできるし、該ドキュメントデータ素材ファイルを記憶する記憶媒体を郵送等の手段により編集者端末３に送ることにより送信されてもよい。本実施の形態における他の送信についても同様である。
【００１６】
上記送信されたドキュメントデータ素材ファイルを受信した編集者端末３では、該ドキュメントデータ素材ファイルに含まれるドキュメント要素に基づいて、ドキュメントデータが編集者により作成される。すなわち、通常複数の原稿作成者端末２から送信される複数のドキュメント要素を組み合わせることにより１つのドキュメントデータが作成される。そして、ドキュメントデータが作成されるに際し、該ドキュメントデータのドキュメント要素に対応して、後述するラスタライズ処理において警告が発生する場合に該警告を知らせる必要のある警告情報送信先を示す情報が入力される。図２は、ドキュメントデータがＰＤＦファイルである場合の具体的な例である。ページ記述言語で記述されているドキュメントデータ１０には複数のドキュメント要素１１が含まれ、その直前にコメント行として警告送信先情報１２が記述されている。図２の場合は、警告送信先情報１２は、「abc@xyz.jp」というメールアドレスであり、その左に存する「％」はコメント行であることを示す記号である。また、ドキュメント要素１１は、「10 0 obj」と「end obj」で囲まれる間接オブジェクトである。また、図３は、ページ記述言語で記述されたドキュメントデータ１０の印刷結果の例である。ドキュメントデータ１０に含まれる各ドキュメント要素１１を後述するラスタライズ処理等して印刷することにより、ドキュメントデータ素材１５として、印刷結果に反映される。すなわち、ドキュメントデータ素材１５は、ページ記述言語で記述される際にはドキュメント要素１１の形でドキュメントデータ１０に含まれる。なお、該ドキュメント要素１１とドキュメントデータ素材１５は１対１の関係でなくてもよく、複数のドキュメント要素１１により１つのドキュメントデータ素材１５が記述されてもよいし、１つのドキュメント要素１１において複数のドキュメントデータ素材１５が記述されてもよい。そして、ドキュメントデータ１０に含まれる警告送信先情報１２は、コメント行に記述されるため印刷結果には反映されない。
【００１７】
このようにすることで、ラスタライズ処理において該ドキュメント要素１１において警告が発生する場合の警告情報送信先として、警告送信先情報１２が入力される。そして該警告送信先情報１２は、ドキュメントデータ１０のドキュメント要素１１に対応してドキュメントデータ１０に含められている。なお、もちろんドキュメントデータ１０の各ドキュメント要素１１ではなく全体に対応する警告情報送信先を含めることとしてよい。この場合には、例えば警告送信先情報１２に、「全体,abc@xyz.jp」のように、全体に対応するということを示す情報を含めることにより入力されることとしてもよい。また、警告送信先情報はドキュメントデータ１０内に含められていなくてもよい。具体的には、例えばドキュメントデータ１０のドキュメント要素と、警告送信先情報を対応付けて警告送信先情報対応ファイルに記憶することとしてもよい。ドキュメントデータ１０内におけるドキュメント要素に代えて、ドキュメントデータ１０内における行の番号を記憶してもよい。また、警告送信先としては、例えばドキュメント要素１１については、該ドキュメント要素１１に対応するドキュメントデータ素材１５を作成した原稿作成者の連絡先が入力されてもよいし、或いは編集者の連絡先が入力されてもよい。そしてドキュメントデータ及び警告送信先情報は編集者端末３から画像処理装置４に対し送信される。
【００１８】
画像処理装置４は、受信したドキュメントデータのラスタライズ処理を行い、結果として生成されるビットマップデータをプリンタ５に出力する。ラスタライズ処理では、ラスタライズ処理をコンピュータに実行させるためのプログラムにしたがって、ドキュメントデータのドキュメント要素について逐次処理が行われ、ラスタライズ処理を実行中に警告に該当すると判断される内容がドキュメントデータに含まれていた場合には、警告処理が行われる。これらの画像処理装置４における処理については後述する。
【００１９】
プリンタ５は、画像処理装置４とは通常別体の装置であり、画像処理装置４から入力されるビットマップデータを、紙等の印刷媒体に印刷する処理を行う。
【００２０】
以上のようにしてドキュメントデータを印刷することにより、編集者は刷版による印刷を行う前に、試し印刷の結果を得ることができる。そして編集者は、該試し印刷の結果を利用して校正を行う。
【００２１】
次に、画像処理装置４における処理について、詳細に説明する。
【００２２】
図４は、画像処理装置４の機能ブロック図である。本実施の形態に係る画像処理装置４は、一時記憶部２０、ラスタライズ処理部２２、画像形成部２４、受信部２６、プリンタインターフェイス部２８、記憶部３０及び送信部３２を含んで構成されている。
【００２３】
受信部２６は、外部から入力されるドキュメントデータ１０を受信する。そして、一時記憶部２０に対して出力する。一時記憶部２０は、入力されたドキュメントデータ１０から入力された順に記憶し、ラスタライズ処理部２２に対して記憶された順に出力する。すなわち、一時記憶部２０は、キューとしての機能を有している。なお、通常使用される画像処理装置４は非常に高価であるため複数の編集者が共同で使用することに加え、各ドキュメントデータ１０は例えば雑誌等のように非常にデータ量の多い情報である。このため、一般にジョブであるドキュメントデータ１０は該一時記憶部２０において長時間待たされることになる。ゆえに、編集者端末３において画像処理装置４における処理の終了を待つことは非効率的であり、ページ記述言語によりドキュメントデータ１０を記述することで画像処理装置４に処理を移している。
【００２４】
ラスタライズ処理部２２は、入力されたドキュメントデータ１０のラスタライズ処理を行う。ラスタライズ処理においては、ドキュメントデータ１０に基づいてラスタデータを生成する処理が行われる。そして、該処理中に、例えば「オフセット印刷でモノクロ印刷になってしまうようなＲＧＢ（Red（赤），Green（緑），Blue（青））画像が含まれている」（ＲＧＢ画像警告）、「オフセット印刷で消えてしまったり、かすれてしまったりする可能性のある線幅のオブジェクトがドキュメント中で指定されている」（ヘアライン警告）、「コンポジット出力では確認することができない『オーバープリント』または『トラッピング』が指定されている」（オーバープリント警告）等の警告の対象となるドキュメント要素が、処理対象であるドキュメントデータ１０に含まれるか否かの判断が行われる。そして、警告の対象となるドキュメント要素が含まれる場合には、該当する警告情報を送信部３２に出力する処理を行う。この出力処理は、警告の対象となるドキュメント要素が含まれるか否かが判断されるごとに行われてもよいし、１つのドキュメントデータのラスタライズ処理が全て終了又は途中終了してから行われてもよい。全て終了又は途中終了してから行う場合には、該警告情報を記憶部３０に記憶しておき、終了した場合に読み出すことにより、送信部３２に出力するとしてもよい。また、警告情報には、具体的な警告の内容又は警告ごとに付与される警告番号、警告が発生したドキュメント要素についての情報等を含めることができる。
【００２５】
またラスタライズ処理部２２は、警告の対象となるドキュメント要素又は全体に対応する警告送信先情報を取得する。そして警告情報とともに該警告送信先情報を送信部３２に出力し、送信部３２は該入力される警告送信先情報が示す警告送信先に対して、該警告情報を送信する。具体的には、ラスタライズ処理部２２は、例えば警告の対象となるドキュメント要素又は全体に対応する警告送信先情報はドキュメントデータ１０に含められており、該ドキュメントデータ１０から該警告送信先情報を読み込むことにより、警告送信先情報を取得してもよい。また、警告送信先情報対応ファイルにドキュメントデータ１０のドキュメント要素又は全体と警告送信先情報とが対応付けて記憶されている場合には、該警告送信先情報対応ファイルから読み込むことにより、警告送信先情報を取得してもよい。さらに、送信部３２は警告送信先情報に警告送信先として編集者の電子メールアドレスや原稿作成者の電子メールアドレスが含められている場合には、該電子メールアドレスに対して電子メール送信を行うこととしてもよい。また、例えば原稿作成者端末２や編集者端末３のＩＰアドレスが含められている場合には、該ＩＰアドレスに対して該警告情報を送信するとしてもよい。なおこの場合には、予め画像処理装置４との専用又は汎用のインターフェイスが原稿作成者端末２や編集者端末３に設けられていることが好適である。さらに、ＦＡＸ番号や住所情報が含まれている場合には、ＦＡＸ送信や電報による送信としてもよい。ただし、ラスタライズ処理部２２で発生した警告情報を警告送信先に送信する処理は、人手を介さず行われることが望ましい。
【００２６】
そしてラスタライズ処理部２２は、警告の対象となるドキュメント要素に対応付けられる警告送信先情報が設定されている場合には、該警告送信先情報を取得し、該警告情報については該警告送信先情報が示す警告送信先とともに送信部３２に出力することとしてもよい。また全体に関する警告送信先情報が設定されている場合には、警告の対象となるドキュメント要素に関わらず、ドキュメントデータのラスタライズ処理中に警告が発生した場合に、全ての警告情報を該警告送信先情報とともに送信部３２に出力することとしてもよい。もちろん、両方の出力を行ってもよい。
【００２７】
またラスタライズ処理部２２は、該警告情報とともに、ラスタデータの少なくとも一部を送信部３２に対して出力し、送信部３２は、警告情報とともに該ラスタデータの少なくとも一部を送信することとしてもよい。すなわち、ラスタデータの該警告に関連するドキュメント要素を含む一部を送信することにより、警告の内容をより視覚的に理解しやすくできる。なお、ラスタデータの該警告に関連する箇所は、視覚的により警告の内容を分かりやすくするため、例えば警告のある箇所をマゼンタ色で塗りつぶす等の処理を行うことが好適である。
【００２８】
また、警告情報を送信する処理も、警告の対象となるドキュメント要素が含まれるか否かが判断されるごとに行われてもよいし、１つのドキュメントデータ１０のラスタライズ処理が全て終了又は途中終了してから行われてもよい。この場合には、送信部３２で図示しないバッファに貯めておくこともできるし、ラスタライズ処理部２２が記憶部３０に、警告情報と、該警告情報の警告送信先情報と、を対応付けて記憶しておき、当該ドキュメントデータ１０のラスタライズ処理が終了した場合に記憶部３０から読出し、例えば警告送信先情報ごとに警告情報をまとめて送信部３２に出力し、送信部３２は該警告情報を警告送信先情報ごとに送信することとしてもよい。このようにすることで、１つのドキュメントデータ１０のラスタライズ処理が全て終了した後、まとめて警告情報を送信することができる。または、１つのドキュメントデータ１０のラスタライズ処理がエラー終了や強制終了等により途中終了した後、まとめて警告情報を送信することもできる。
【００２９】
そして、該ラスタライズ処理部２２は、ドキュメントデータ１０の内容を反映したラスタデータを生成して、画像形成部２４に出力する。画像形成部２４では、入力されるラスタデータに対してデータ変換、網掛け等の処理を行い、ビットマップデータを生成する。そして、該ビットマップデータをプリンタインターフェイス部２８に出力し、プリンタインターフェイス部２８は該ビットマップデータをプリンタ５に送信する。
【００３０】
以上の画像処理装置４における処理を、さらに具体的なフロー図を参照しながら説明する。
【００３１】
図５はラスタライズ処理部２２における処理のフロー図である。まず、一時記憶部２０から出力されるページ記述言語で記述されたドキュメントデータを読み込む（Ｓ１００）。そして、該ドキュメントデータのラスタライズ処理を開始する（Ｓ１０２）。該ラスタライズ処理では、通常ドキュメントデータに記述される順にドキュメント要素の処理を行っていく。そして、該ラスタライズ処理においてあるドキュメント要素を処理している際に警告が発生した場合には（Ｓ１０４）、警告箇所を含むドキュメント要素を抽出する。そして該警告箇所を含むドキュメント要素と、警告内容及び該ドキュメント要素又は全体に対応付けられる警告送信先情報である編集者や原稿作成者の連絡先情報を対応付けて記憶する（Ｓ１０６）。なお、この時点では警告送信先情報は記憶せず、後に送信部３２に出力する際に再度ドキュメントデータを読み込むか、警告送信先情報対応ファイルを参照することにより、記憶されるドキュメント要素に対応する警告送信先情報又は全体に対応する警告送信先情報を取得して送信部３２に出力することとしてもよい。そして、ドキュメントデータに含まれる全ドキュメント要素についてのラスタライズ処理が終了した場合（Ｓ１０８）には、警告があったか否かを判断する（Ｓ１１０）。もちろん、エラー等により途中終了した場合でも同様である。なお該警告があったか否かは、例えば警告が発生したときに、警告が発生したか否かを変数の値として保持しておくことにより、該変数の値を参照し判断することができる。そして警告があったと判断される場合には、警告内容及び警告箇所等の情報を、これらに対応付けて記憶される警告送信先情報である連絡先情報に対して送信する（Ｓ１１４）。警告がなかったと判断される場合には、ラスタライズによって生成されたラスタデータを画像形成部２４に対して出力する。
【００３２】
以上のようにして、ラスタライズ処理での警告情報を予め設定される送信先に通知することができる。さらに、電子メール等のインターフェイスを使用することにより、編集者や原稿作成者は、上述の通り長時間かかるラスタライズ処理の結果を後に受信できる。このため、編集者や原稿作成者は試し印刷処理を画像処理装置及びプリンタに任せて他の仕事を行うことができるようになる。また、原稿作成者を警告送信先とすることにより、編集者を介さずに原稿作成者が警告情報を受け取ることができるようになる。
【００３３】
なお、本発明は上記実施の形態に限定されるものではない。
【００３４】
例えば、上記実施の形態ではドキュメントデータの校正の場合を例に取り説明したが、単なるプリンタを用いた印刷の場合や、ＩＰＰ（Internet Printing Protocol）を利用して印刷する場合の、ラスタライズ処理の結果等を送信することとしてもよい。例えばＩＰＰを利用して印刷する場合には、印刷対象のＵＲＬを入力する印刷実施者に対して、電子メール等により該印刷対象のラスタライズ処理の結果を送信することができる。
【００３５】
また、原稿作成者が画像処理装置４に対してドキュメントデータ素材を送信することにより、該ドキュメントデータ素材に含まれる警告の対象となるドキュメント要素についての警告情報を取得することができるようにしてもよい。この場合には、例えばドキュメントデータごとにプロジェクトを設けてそのプロジェクトの番号を設定する。そしてドキュメントデータを画像処理装置４に送信する際には、該ドキュメントデータとともに該プロジェクト番号を送信する。そして受信部２６は、該プロジェクトが継続する限りにおいて該プロジェクト番号を受け付けるという構成とすることにより、プロジェクト番号を知っているもののみが画像処理装置４を使用することができるようになる。
【００３６】
また、該警告情報とともにラスタデータの少なくとも一部を送信する場合には、ラスタデータである画像ファイルの解像度の設定等を行うための機能を例えば画像処理装置４に含めることが好適である。また、ラスタデータが不要な場合には送信しないという選択ができる機能を例えば画像処理装置４に含めることも好適である。ラスタデータは通常非常にサイズが大きいデータであるため、例えば電子メールで送信するのには適さない場合が多いからである。
【図面の簡単な説明】
【００３７】
【図１】本発明の実施の形態に係る校正システムを示す図である。
【図２】本発明の実施の形態に係るドキュメントデータの構成図である。
【図３】本発明の実施の形態に係るドキュメントデータの印刷結果を示す図である。
【図４】本発明の実施の形態に係る画像処理装置の機能ブロック図である。
【図５】本発明の実施の形態に係るラスタライズ処理のフロー図である。
【符号の説明】
【００３８】
１  校正システム、２  原稿作成者端末、３  編集者端末、４  画像処理装置、５  プリンタ、１０  ドキュメントデータ、１１  ドキュメント要素、１２  警告送信先情報、１５  ドキュメントデータ素材、２０  一時記憶部、２２  ラスタライズ処理部、２４  画像形成部、２６  受信部、２８  プリンタインターフェイス部、３０  記憶部、３２  送信部。
【図１】
2005316908.tif 000003
【図２】
2005316908.tif 000004
【図３】
2005316908.tif 000005
【図４】
2005316908.tif 000006
【図５】
2005316908.tif 000007